(57)【要約】      （修正有）【課題】水没時に携帯電話機を水面上に浮上させる機能を付加する。【解決手段】水没時に、燃料電池１１（ダイレクトメタノール型燃料電池）で生成される二酸化炭素を風船状の気体収集部１３に供給することで該気体収集部１３を膨張させて浮力を得て、当該携帯電話機を水面上に浮上させる。これにより、当該携帯電話機を例えば川や海に落としてしまった場合でも、該携帯電話機を水面に浮上させることができるため、該携帯電話機の発見及び回収を容易化することができる。また、制御部は、当該携帯電話機が水没した際に、所定時間置きに現在位置を取り込み、この現在位置を示す情報、或いは現在位置を含む地図情報を添付した電子メールを、ユーザにより予め指定されている電子メールアドレス宛に自動送信する。これにより、携帯電話機の現在位置を容易に追跡することができ、早期発見及び回収を可能とすることができる。【選択図】図３
2008193632.tif 000002
【特許請求の範囲】
【請求項１】
所定の燃料に基づいて電力を発生する燃料電池と、
上記燃料電池が電力を発生する際に、副生成物として発生する所定の気体を収集することで浮力を発生する気体収集部と、
上記燃料電池から発生した上記所定の気体を外部に排出するための気体排出経路と、
上記燃料電池から発生した上記所定の気体を上記気体収集部に供給するための気体供給経路と、
非水没時には、上記燃料電池から発生した上記所定の気体を上記気体排出経路を介して外部に排出し、水没時には、上記気体排出経路を介して外部に排出されている上記所定の気体を、上記気体供給経路を介して上記気体収集部に供給するように、上記気体の経路を切り替える経路切り替え部と
を有する浮力発生装置。
【請求項２】
請求項１に記載の浮力発生装置であって、
上記経路切り替え部は、
上記気体排出経路に設けられ、非水没時には開状態となることで上記所定の気体を外部に排出し、水没時には水圧で閉状態となる第１の圧力開閉弁と、
上記気体供給経路に設けられ、非水没時には閉状態となることで、上記所定の気体を上記気体排出経路に供給し、水没時には、上記第１の圧力開閉弁が閉状態となることで、上記気体排出経路及び上記気体供給経路に上記所定の気体が充満することで発生する圧力で開状態となり、上記所定の気体を上記気体供給経路を介して上記気体収集部に供給する第２の圧力開閉弁と
を有することを特徴とする浮力発生装置。
【請求項３】
請求項１に記載の浮力発生装置であって、
水没を検出する水没センサを有し、
上記経路切り替え部は、
上記気体排出経路に設けられた第１の開閉弁と、
上記気体供給経路に設けられた第２の開閉弁と、
上記水没センサで水没が検出されるまでは、上記第１の開閉弁を開制御すると共に、上記第２の開閉弁を閉制御することで、上記所定の気体を上記気体排出経路を介して外部に排出し、上記水没センサで水没が検出された際に、上記第１の開閉弁を閉制御すると共に、上記第２の開閉弁を開制御することで、上記所定の気体を上記気体供給経路を介して上記気体収集部に供給する弁開閉制御部とを有すること
を特徴とする浮力発生装置。
【請求項４】
請求項１又は請求項２に記載の浮力発生装置であって、
上記燃料電池は、電力を発生する際に副生成物として上記所定の気体と共に所定の液体を発生し、
上記気体供給経路に設けられ、上記水没時に、上記燃料電池から発生する上記所定の気体及び上記所定の液体のうち、該所定の気体のみを通過させて上記気体収集部に供給する気体分離部を有すること
を特徴とする浮力発生装置。
【請求項５】
非水没時には、燃料電池が所定の燃料に基づいて電力を発生する際に副生成物として発生する所定の気体を、気体排出経路を介して外部に排出するように、経路切り替え部で該気体の経路の切り替えを行うステップと、
水没時には、上記気体排出経路を介して外部に排出していた上記所定の気体を、気体供給経路を介して気体収集部に供給するように、上記経路切り替え部で該気体の経路の切り替えを行い、該所定の気体を上記気体収集部で収集することで浮力を発生するステップと
を有する浮力発生方法。
【請求項６】
所定の燃料に基づいて電力を発生する燃料電池と、
上記燃料電池が電力を発生する際に、副生成物として発生する所定の気体を収集することで浮力を発生する気体収集部と、
上記燃料電池から発生した上記所定の気体を外部に排出するための気体排出経路と、
上記燃料電池から発生した上記所定の気体を上記気体収集部に供給するための気体供給経路と、
非水没時には、上記燃料電池から発生した上記所定の気体を上記気体排出経路を介して外部に排出し、水没時には、上記気体排出経路を介して外部に排出されている上記所定の気体を、上記気体供給経路を介して上記気体収集部に供給するように、上記気体の経路を切り替える経路切り替え部とを有し、
水没時に、上記燃料電池から発生した上記所定の気体を上記気体収集部で収集することで浮力を得て、当該携帯端末本体を水面上に浮上させること
を特徴とする携帯端末装置。
【請求項７】
請求項６に記載の携帯端末装置であって、
当該携帯端末装置の現在位置を検出する現在位置検出手段と、
電子メールの送信機能と、
予め指定された所定の電子メールアドレスを記憶する指定アドレス記憶手段と、
水没時、或いは当該携帯端末本体が水面上に浮上した際に、上記現在位置検出手段で検出された当該携帯端末装置の現在位置を示す現在位置情報を取り込むと共に、この現在位置情報を記録した電子メールを作成し、上記指定アドレス記憶手段に記憶されている電子メールアドレス宛に送信するように上記電子メールの送信機能を制御する自動発信制御手段と
を有することを特徴とする携帯端末装置。
【請求項８】
請求項７に記載の携帯端末装置であって、
地図情報が記憶された地図情報記憶手段を有し、
上記自動発生制御手段は、水没時、或いは当該携帯端末本体が水面上に浮上した際に、上記現在位置検出手段で検出された当該携帯端末装置の現在位置を示す所定範囲の地図情報を上記地図情報記憶手段から読み出し、この所定範囲の地図情報を付加した電子メールを作成し、上記指定アドレス記憶手段に記憶されている電子メールアドレス宛に送信するように上記電子メールの送信機能を制御すること
を特徴とする携帯端末装置。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、デジタルカメラ装置、ビデオカメラ装置、携帯ゲーム機、ノート型のパーソナルコンピュータ装置等の携帯機器に適用して好適な浮力発生装置、浮力発生方法、及び携帯端末装置に関し、特に、水没時に、燃料電池から発生する気体を気体収集部で収集して浮力を発生させることで、携帯機器を水面上に浮上させることを可能とした浮力発生装置、浮力発生方法、及び携帯端末装置に関する。
【背景技術】
【０００２】
特開２００４−１７２６７７号の公開特許公報（特許文献１）に、水没による紛失を防ぎ、発見を容易にし、防水性能を向上させる携帯型通信装置が開示されている。この携帯型通信装置の場合、筐体の前面ケース及び背面ケースにより形成される携帯型通信装置内の閉空間に空気層を有しており、水没時に、この空気層により発生する浮力で当該携帯型通信装置を水面に浮上させるようになっている。
【０００３】
また、水没した際には、各操作キーの隙間に形成された袋状の空間、マイク周辺に形成された袋状の空間、筐体の側部に形成された袋状の空間にそれぞれ浸水するようになっており、これにより、重心の位置が、非浸水時の位置よりも前面下部寄りの位置に移動するようになっている。これにより、前面ケースが背面ケースより重いことと併せ、水没時に、当該携帯型通信装置を、アンテナや着信ランプを上にして水面に浮上させることができる。従って、当該携帯型通信装置の水没を防止して該携帯型通信装置を発見し易くすることができ、また、当該携帯型通信装置が備える防水性能を発揮し易くすることができる。
【０００４】
【特許文献１】特開２００４−１７２６７７号公報（第６頁〜第８頁：図１、図２）
【発明の開示】
【発明が解決しようとする課題】
【０００５】
しかし、特許文献１に開示されている携帯型通信装置の場合、筐体の前面ケース及び背面ケースにより形成される「空気層」を浮揚手段として用いるようになっている。このため、浮力を得るに十分な空気層を形成するために、携帯型通信装置の厚みを増して内部空間を拡張するか、筐体内に収納する収納部品を極力小型化することで、筐体内の内部空間を大きくするか、或いは筐体内における部品配置を可能な限り前面寄りとして、内部空間を形成する必要がある。
【０００６】
携帯型通信装置の厚みを増して内部空間を拡張した場合には、ユーザにより求められている携帯機器の小型化に反して、当該携帯型通信装置を大型化せざるを得ない問題がある。また、筐体内に収納する収納部品を極力小型化することで、筐体内の内部空間を大きくした場合には、当該携帯型通信装置の大型化を防止可能となるが、収納部品の小型化にも限界があることから、筐体内に形成される空気層が小さくなり、十分な浮力が得られないおそれがある。筐体内における部品配置を可能な限り前面寄りとして、内部空間を形成した場合も同様であり、当該携帯型通信装置の大型化を防止可能となるが、筐体内における部品配置を前面寄りとするのも限界があることから、筐体内に形成される空気層が小さくなり、十分な浮力が得られないおそれがある。
【０００７】
本発明は上述の課題に鑑みてなされたものであり、筐体を大型化することのない小さな専有面積で設置可能であり、また、水没時に十分な浮力を得ることができるような浮力発生装置、浮力発生方法、及び携帯端末装置の提供を目的とする。
【課題を解決するための手段】
【０００８】
本発明に係る浮力発生装置は、上述の課題を解決するための手段として、
所定の燃料に基づいて電力を発生する燃料電池と、
上記燃料電池が電力を発生する際に、副生成物として発生する所定の気体を収集することで浮力を発生する気体収集部と、
上記燃料電池から発生した上記所定の気体を外部に排出するための気体排出経路と、
上記燃料電池から発生した上記所定の気体を上記気体収集部に供給するための気体供給経路と、
非水没時には、上記燃料電池から発生した上記所定の気体を上記気体排出経路を介して外部に排出し、水没時には、上記気体排出経路を介して外部に排出されている上記所定の気体を、上記気体供給経路を介して上記気体収集部に供給するように、上記気体の経路を切り替える経路切り替え部と
を有する。
【０００９】
また、本発明に係る浮力発生方法は、上述の課題を解決するための手段として、
非水没時には、燃料電池が所定の燃料に基づいて電力を発生する際に副生成物として発生する所定の気体を、気体排出経路を介して外部に排出するように、経路切り替え部で該気体の経路の切り替えを行うステップと、
水没時には、上記気体排出経路を介して外部に排出していた上記所定の気体を、気体供給経路を介して気体収集部に供給するように、上記経路切り替え部で該気体の経路の切り替えを行い、該所定の気体を上記気体収集部で収集することで浮力を発生するステップと
を有する。
【００１０】
また、本発明に係る携帯端末装置は、上述の課題を解決するための手段として、
所定の燃料に基づいて電力を発生する燃料電池と、
上記燃料電池が電力を発生する際に、副生成物として発生する所定の気体を収集することで浮力を発生する気体収集部と、
上記燃料電池から発生した上記所定の気体を外部に排出するための気体排出経路と、
上記燃料電池から発生した上記所定の気体を上記気体収集部に供給するための気体供給経路と、
非水没時には、上記燃料電池から発生した上記所定の気体を上記気体排出経路を介して外部に排出し、水没時には、上記気体排出経路を介して外部に排出されている上記所定の気体を、上記気体供給経路を介して上記気体収集部に供給するように、上記気体の経路を切り替える経路切り替え部とを有する。
【００１１】
そして、この本発明に係る携帯端末装置は、水没時に、上記燃料電池から発生した上記所定の気体を上記気体収集部で収集することで浮力を得て、当該携帯端末本体を水面上に浮上させる。
【００１２】
このような本発明は、非水没時には、燃料電池から発生した所定の気体を気体排出経路を介して外部に排出しているのであるが、水没時となると、経路切り替え部が、上記気体排出経路を介して外部に排出されている所定の気体を、気体供給経路を介して気体収集部に供給するように、上記気体の経路の切り替えを行うことで、該気体収集部で収集した所定の気体により浮力を得て、本発明を適用した機器を水面に浮上させる。
【発明の効果】
【００１３】
本発明は、水没時に、燃料電池から発生した所定の気体を気体収集部で収集することで十分な浮力を得て、本発明を適用した機器を水面上に浮上させることができる。
【００１４】
また、燃料電池を設ける際に必要となる気体排出経路に対して、「気体供給経路」と「気体収集部」とを設けるだけで実現することができる。このため、本発明を適用する機器の筐体を大型化することなく、小さな専有面積で設置可能とすることができる。
【発明を実施するための最良の形態】
【００１５】
本発明は、携帯電話機に適用することができる。
【００１６】
［携帯電話機の構成］
図１に、この本発明の実施の形態となるの携帯電話機のブロック図を示す。この図１に示すように当該携帯電話機は、基地局との間で音声通話、テレビ電話通話、電子メール、Ｗｅｂデータ等の無線通信を行うアンテナ１及び通信回路２と、テレビ電話通話時に通信先から送信された相手方の動画像や所望の静止画像、或いは電子メールやメニューの文字等を表示するための表示部３と、受話音声等の音響出力を得るためのスピーカ部４と、主に送話音声を集音するマイクロホン部５と、文字の入力操作や所望のメニューの選択操作等を行うための操作部６とを有している。
【００１７】
また、この携帯電話機は、当該携帯電話機の現在位置を検出するＧＰＳアンテナ７及びＧＰＳユニット８（GPS：Global Positioning System）と、基地局を介した無線通信処理を行うための通信処理プログラム（コミュニケーションプログラム）の他、ＧＰＳユニット８を用いた現在位置検出プログラム等の各種アプリケーションプログラムや、これら各アプリケーションプログラムで取り扱われる各種データ（コンテンツ）の他、水没時における緊急連絡先となる電子メールアドレス等が記憶されたメモリ９と、当該携帯電話機全体を制御する制御部１０とを有している。上記緊急連絡先となる電子メールアドレスは、ユーザが予め指定して登録するようになっている。
【００１８】
また、この携帯電話機は、当該携帯電話機の駆動電力を発生する燃料電池１１と、当該携帯電話機の水没時に、燃料電池１１から発生する所定の気体を収集して当該携帯電話機を水面上に浮上させる浮力を得るための浮力発生部１２とを有している。
【００１９】
燃料電池１１は、当該携帯電話機に収納可能な小型燃料電池となっており、一例ではあるがダイレクトメタノール型燃料電池(＝DMFC：Direct Methanol Fuel Cell)が用いられている。このダイレクトメタノール型燃料電池は、図２に示すようにアノード（陽極）となる触媒電極においてメタノールと水を混合させることで（＝メタノール水溶液に基づいて）発電を行うようになっている。
【００２０】
具体的には、アノード（陽極）の触媒電極にメタノール水溶液を供給すると、このメタノール水溶液が、プロトン（Ｈ＋）、電子（ｅ−）、及び副生成物となる二酸化炭素（ＣＯ２）に分離される。このうち、電子（ｅ−）は、当該携帯電話機の各電子部品を介して、燃料電池１１のカソード（陰極）となる触媒電極に供給される。これにより、当該携帯電話機の各電子部品がそれぞれ導通し該各電子部品が動作することとなる。
【００２１】
一方、アノード（陽極）の触媒電極で分離された上記プロトン（Ｈ＋）は、当該燃料電池１１の電解質膜を介してカソード（陰極）の触媒電極に供給される。そして、このカソード（陰極）の触媒電極において、前述のように各電子部品を介して当該カソード（陰極）の触媒電極に供給される電子（ｅ−）及び空気中の酸素と反応し、副生成物となる水を形成する。
【００２２】
すなわち、燃料電池１１としてダイレクトメタノール型燃料電池を用いた場合、主生成物として電気が生成され、副生成物として「二酸化炭素」及び「水」が生成される。当該実施の形態の携帯電話機の場合、水没時に、上記浮力発生部１２において、燃料電池１１の副生成物である上記「二酸化炭素」を収集して浮力を得るようになっている。
【００２３】
図３に、浮力発生部１２の概略図を示す。この図３からわかるように、浮力発生部１２は、例えばビニール部材やゴム部材等の柔軟に収縮可能な部材で形成された風船状の気体収集部１３と、燃料電池１１で生成された二酸化炭素を、当該携帯電話機の筐体２０の外部に排出するための気体排出経路１４と、水没時において、燃料電池１１で生成された二酸化炭素を上記気体収集部１３に供給するための気体供給経路１５とを有している。
【００２４】
気体収集部１３は、当該携帯電話機の筐体２０に設けられた気体収集部収納室２１に収納されており、水没時となると、燃料電池１１で生成された二酸化炭素が供給されることで膨張し、所定の大きさまで膨張した際に、上記気体収集部収納室２１の開閉扉２２を押し開いて筐体２０外に突出するようになっている。
【００２５】
気体排出経路１４及び気体供給経路１５は、燃料電池１１で形成された二酸化炭素を排出口１６に導く経路、及び該二酸化炭素を気体収集部１３に導く経路をそれぞれ形成するように相互に接続されている。また、気体排出経路１４には第１の圧力開閉弁１７が、また、気体供給経路１５には第２の圧力開閉弁１８が、それぞれ経路切り替え部１９として設けられている。
【００２６】
気体排出経路１４に設けられた第１の圧力開閉弁１７は、水圧の有無に応じて開閉するようになっており、非水没時には開状態となることで上記二酸化炭素を筐体２０の外部に排出し、水没時には水圧で閉状態となるようになっている。
【００２７】
これに対して、気体供給経路１５に設けられた第２の圧力開閉弁１８は、非水没時には閉状態となることで、上記二酸化炭素を上記気体排出経路１４に供給するのであるが、水没時となると、上記第１の圧力開閉弁１７が閉状態となることで気体排出経路１４及び気体供給経路１５に二酸化炭素が充満することで発生する圧力で開状態となり、該二酸化炭素を気体供給経路１５を介して気体収集部１３に供給するようになっている。
【００２８】
また、当該携帯電話機の筐体２０には、水没時に、燃料電池１１から発生した二酸化炭素が気体収集部１３に蓄積され、当該携帯電話機が水面に浮上するまでに要する時間よりも長い時間の耐水時間（耐水時間）となるように、耐水加工が施されている。
【００２９】
［非水没時の動作］
このような実施の形態の携帯電話機は、非水没時には、水圧が掛かっていないため、図４（ａ）に示すように気体排出経路１４に設けられている第１の圧力開閉弁１７が開状態となる。また、第１の圧力開閉弁１７が開状態となることで、気体排出経路１４及び気体供給経路１５の内部圧は下がった状態であるため、気体供給経路１５に設けられている第２の圧力開閉弁１８は閉状態となる。これにより、燃料電池１１で生成された二酸化炭素は、気体排出経路１４を介して、当該携帯電話機の筐体２０の外部に排出されることとなる。
【００３０】
［水没時の動作］
これに対して、当該携帯電話機の水没時となると、図４（ｂ）に示すように気体排出経路１４に設けられている第１の圧力開閉弁１７に対して筐体２０の外部からの水圧が掛かることとなるため、当該第１の圧力開閉弁１７がこの水圧により閉状態となる。第１の圧力開閉弁１７が閉状態となると、それまで筐体２０の外部に排出されていた燃料電池１１で生成された二酸化炭素が、気体排出経路１４及び気体供給経路１５内に充満することとなるため、気体排出経路１４及び気体供給経路１５の内部圧が上がり、気体供給経路１５に設けられている第２の圧力開閉弁１８が開状態となる。これにより、燃料電池１１で生成された二酸化炭素が、気体供給経路１５を介して気体収集部１３に供給されることとなる。
【００３１】
気体収集部１３は、燃料電池１１で生成された二酸化炭素を徐々に蓄積して膨張する。そして、所定の大きさまで膨張した際に、図３に示すように気体収集部収納室２１の開閉扉２２を押し開いて筐体２０外に突出することで、言わば浮き袋となり、当該携帯電話機を水面上に浮上させる。これにより、当該携帯電話機を例えば川や海に落としてしまった場合でも、該携帯電話機を水面に浮上させることができるため、該携帯電話機の発見及び回収を容易化することができる。
【００３２】
また、当該携帯電話機の筐体２０には、水没時に、燃料電池１１から発生した二酸化炭素が気体収集部１３に蓄積され、当該携帯電話機が水面に浮上するまでに要する時間よりも長い時間の耐水時間（耐水時間）となるように、耐水加工が施されているうえ、水面に浮上させることで、当該携帯電話機が完全に水没している時間を短縮化することができるため、該水没により当該携帯電話機が故障する不都合を大幅に軽減することができる。
【００３３】
なお、この例では風船状の気体収集部１３を用いることとしたが、当該携帯電話機の筐体２０の一部を柔軟な部材で形成し、この柔軟な部材で形成した部分に対して、水没時に燃料電池１１で形成される二酸化炭素を供給して膨張させる構成としてもよい。この場合でも、水没した当該携帯電話機を水面に浮上させることができ、上述と同じ効果を得ることができる。
【００３４】
［現在位置の発信動作］
次に、上記気体収集部収納室２１の開閉扉２２には、図３に示すように開閉扉２２の開閉状態を検出する開閉センサ２３が設けられている。制御部１０は、この開閉センサ２３からの検出出力に基づいて、開閉扉２２が開状態となったことを検出すると、メモリ９に記憶されている緊急連絡先となる電子メールアドレスを読み出すと共に、ＧＰＳユニット８で検出される現在位置を示す現在位置情報を取り込む。そして、この緊急連絡先となる電子メールアドレスを宛先とする電子メールを作成し、この電子メールの本文等にＧＰＳユニット８から取り込んだ現在位置情報を記載し（或いは添付ファイルとして添付してもよい。）、この電子メールを通信回路２及びアンテナ１を介して送信制御する。
【００３５】
制御部１０は、このような電子メールの送信制御を、例えば１０分毎、或いは３０分毎等の所定時間置きに実行制御する。これにより、携帯電話機を川や海に落としてしまった際に、当該携帯電話機のユーザにより予め指定されているアドレスに対して、上記所定時間置きに、該携帯電話機の現在位置を示す電子メールが着信することとなる。このため、川や海に落としてしまった携帯電話機を容易に追跡することができ、早期発見及び回収を可能とすることができる。
【００３６】
なお、この例では、ＧＰＳユニット８を用いて当該携帯電話機の現在位置を検出することとしたが、制御部１０は、基地局からの送信される位置情報に基づいて当該携帯電話機の現在位置を検出するようにしてもよい。この場合、ＧＰＳユニット８を不要とすることができるため、当該携帯電話機の構成を簡略化することができる。
【００３７】
［現在位置の他の発信動作］
以上の説明では、現在位置情報を記載或いは添付した電子メールを送信することとしたが、これは、ＧＰＳユニット８で検出された現在位置を含む所定範囲の地図情報を添付した電子メールを作成し、これを緊急連絡先となる電子メールアドレス宛に自動送信するようにしてもよい。
【００３８】
この場合、メモリ９に対してプリインストール或いは所定のネットワークのサーバ上からダウンロードするかたちで地図情報を記憶しておき、制御部１０が、開閉扉２２が開状態となったことを検出した際に、ＧＰＳユニット８で検出された現在位置を含む所定範囲の地図情報を上記メモリ９から読み出す。そして、この所定範囲の地図情報に対して、ＧＰＳユニット８で検出された現在位置を示すマークを付し、電子メールに添付して、上記緊急連絡先となる電子メールアドレス宛に送信制御する。これにより、ユーザは、当該携帯電話機の現在位置を示す地図を見ることができるため、当該携帯電話機の発見及び回収を、より容易化することができる。
【００３９】
なお、地図情報を取り込む際、制御部１０は、ＧＰＳユニット８で検出された現在位置を含む所定範囲の地図情報を、所定のネットワーク上のサーバ装置から通信回路２を介して取り込むようにしてもよい。この場合、地図情報をメモリ９に記憶しておく必要がないため、メモリ９の記憶容量が該地図情報で圧迫される不都合を防止することができる。
【００４０】
［水蒸気の排除］
ここで、このように当該実施の形態の携帯電話機は、水没時に、燃料電池１１で生成された「二酸化炭素」を気体収集部１３に供給することで浮力を得るようになっているのであるが、上述のように燃料電池１１は、副生成物として「二酸化炭素」と共に「水（水蒸気）」を生成する。この「水蒸気」が気体収集部１３に供給されると、浮力の低下を招くおそれもある。
【００４１】
このため、当該実施の形態の携帯電話機の場合、図５に示すように気体供給経路１５の第２の圧力開閉弁１８の前段（或いは後段でもよい。）に、二酸化炭素のみを透過させ、水蒸気を遮断する、例えば多孔質フィルム３０が設けられている。これにより、燃料電池１１から発生する「二酸化炭素」及び「水蒸気」のうち、「二酸化炭素」のみを気体収集部１３に供給することができ、「水蒸気」が気体収集部１３に供給されることで浮力の低下を招く不都合を防止することができる。
【００４２】
［実施の形態の効果］
以上の説明から明らかなように、この実施の形態の携帯電話機は、水没時に、燃料電池１１で生成される二酸化炭素を風船状の気体収集部１３に供給することで該気体収集部１３を膨張させて浮力を得て、当該携帯電話機を水面上に浮上させる。これにより、当該携帯電話機を例えば川や海に落としてしまった場合でも、該携帯電話機を水面に浮上させることができるため、該携帯電話機の発見及び回収を容易化することができる。
【００４３】
また、制御部１０は、当該携帯電話機が水没した際に、所定時間置きに現在位置の取り込みを行い、この現在位置を示す情報、或いは現在位置を含む地図情報を添付した電子メールを作成し、これを、ユーザにより予め指定されている電子メールアドレス宛に自動送信する。これにより、当該携帯電話機を川や海に落としてしまった際に、当該携帯電話機のユーザにより予め指定されているアドレスに対して、上記所定時間置きに、該携帯電話機の現在位置を示す電子メールを自動送信することができるため、携帯電話機の現在位置を容易に追跡することができ、早期発見及び回収を可能とすることができる。
【００４４】
また、燃料電池１１を設ける際に必要となる気体排出経路１４に対して、「気体供給経路１５」と「気体収集部１３」とを設けるだけで実現することができる。このため、小さな専有面積で、このような浮上機能を設置可能とすることができ、当該携帯電話機の筐体２０が大型化する不都合を防止することができる。
【００４５】
［変形例］
上述の実施の形態の説明では、水没時の水圧等により、第１及び第２の圧力開閉弁１７、１８を開閉制御して、燃料電池で生成された二酸化炭素の経路を切り替えることとしたが、第１及び第２の圧力開閉弁１７、１８の代わりに、気体排出経路１４及び気体収集経路１５に対して機械的に開閉動作するシャッタ部をそれぞれ設け、各シャッタ部を電気制御により開閉制御してもよい。
【００４６】
この場合、図１に点線のブロックとして示すように水没センサ４０を設け、この水没センサ４０により当該携帯電話機の水没が検出されるまでの間は（＝非水没時）、制御部１０が、気体排出経路１４に設けたシャッタ部を開制御し、また、気体収集経路１５に設けたシャッタ部を閉制御する。これにより、非水没時には、燃料電池１１で生成された二酸化炭素は、気体排出経路１４を介して排出口１６から筐体２０外に排出されることとなる。
【００４７】
これに対して、水没センサ４０により当該携帯電話機の水没が検出された場合、制御部１０は、気体排出経路１４に設けたシャッタ部を閉制御し、また、気体収集経路１５に設けたシャッタ部を開制御する。これにより、水没時には、燃料電池１１で生成された二酸化炭素が、気体収集経路１５を介して気体収集部１３に供給され、この気体収集部１３に供給された二酸化炭素の浮力で当該携帯電話機を水面上に浮上させることができ、上述と同じ効果を得ることができる。
【００４８】
また、上述の実施の形態の説明では、本発明を携帯電話機に適用することとしたが、本発明は、この他、無線音声通信機能を有する携帯機器であれば、ＰＨＳ電話機（PHS：Personal Handyphone System）、ＰＤＡ装置（PDA：Personal Digital Assistant）、デジタルカメラ装置、ビデオカメラ装置、携帯ゲーム機、ノート型のパーソナルコンピュータ装置等の携帯機器に適用してもよい。そして、この場合でも、上述と同じ効果を得ることができる。
【００４９】
最後に、本発明は、本発明の一例として開示したに過ぎない上述の実施の形態に限定されることはない。このため、本発明に係る技術的思想を逸脱しない範囲であれば、上述の実施の形態以外であっても設計等に応じて種々の変更が可能であることは勿論であることを付け加えておく。
【図面の簡単な説明】
【００５０】
【図１】本発明を適用した実施の形態となる携帯電話機のブロック図である。
【図２】実施の形態となる携帯電話機に設けられる燃料電池の発電動作を説明するための模式図である。
【図３】実施の形態となる携帯電話機に設けられている気体収集部が、燃料電池で生成された二酸化炭素の充満により筐体外に突出した様子を示す図である。
【図４】実施の形態となる携帯電話機の気体排出経路及び気体供給経路の構成を説明するための図である。
【図５】実施の形態となる携帯電話機の気体供給経路に設けられた、二酸化炭素と水蒸気を分離する分離部材（多孔質フィルム）を示す図である。
【符号の説明】
【００５１】
１  アンテナ、２  通信回路、３  表示部、４  スピーカ部、５  マイクロホン部、６  操作部、７  ＧＰＳアンテナ、８  ＧＰＳユニット、９  メモリ、１０  制御部、１１  燃料電池、１２  浮力発生部、１３  気体収集部、１４  気体排出経路、１５  気体供給経路、１６  排出口、１７  第１の圧力開閉弁、１８  第２の圧力開閉弁、１９  経路切り替え部、２０  携帯電話機の筐体、２１  気体収集部収納室、２２  気体収集部収納室の開閉扉、２３  開閉センサ、３０  多孔質フィルム、４０  水没センサ
【図１】
2008193632.tif 000003
【図２】
2008193632.tif 000004
【図３】
2008193632.tif 000005
【図４】
2008193632.tif 000006
【図５】
2008193632.tif 000007